(57)【特許請求の範囲】
【請求項１】
二枚の合成樹脂フイルム間に、ストローを密封包装してストロー包装体を構成し、該ストローの長手方向に繋がる同様のストロー包装体を連続して設け、２つのストロー包装体の連続部にストローの長手方向と交叉するミシン目線を形成し、このミシン目線で折り返して重合し、上記各ストロー包装体の自由端側シール部にストローの長手方向と交叉する向きのミシン目線を形成して、各ストロー包装体の自由端縁同士を溶着してある複数ストロー包装体。
【請求項２】
各ストロー包装体の自由端縁同士の溶着を溶断シールにしてある上記請求項１記載の複数ストロー包装体。
【請求項３】
上記２つのストロー包装体のストローがそれぞれ複数本である上記請求項１に記載の複数ストロー包装体。
【請求項４】
上記２つのストロー包装体をこれらストロー包装体の連続部で折り返して重合してあるストロー包装体の内側の合成樹脂フイルムを平坦状にしてあり、外側の合成樹脂フイルムを膨らませてストローを包装してある上記請求項１〜３の何れかに記載の複数ストロー包装体。
【請求項５】
上記内側の合成樹脂フイルムは両面がヒートシール可能な熱可塑性合成樹脂フイルムであり、一方外側の合成樹脂フイルムは片面又は両面がヒートシール可能な熱可塑性合成樹脂フイルムである上記請求項４に記載の複数ストロー包装体。
【請求項６】
複数の飲料用容器を横に並べて配列し、並べられた複数の飲料用容器の上部に上記請求項１〜５の何れかに記載の複数ストロー包装体を載置し、全体をシュリンク包装してある複数ストロー包装体を付属する飲料用容器群。
【請求項７】
複数の飲料用容器の数と、複数ストロー包装体のストローの数とを合わせてある上記請求項６記載の飲料用容器群。
【発明の詳細な説明】
【０００１】
【発明の属する技術分野】
本発明は、飲料用容器から内容飲料を吸飲するストローの複数本がそれぞれ単独で包装され、しかも複数本がまとめて包装された複数ストロー包装体に関し、さらにこの複数ストロー包装体を付属する飲料用容器群に関する。
【０００２】
【従来の技術】
従来、内容量が比較的少ない幼児用飲料の包装用容器は、複数個の容器がまとめて包装されており、飲料用容器群に構成され、販売店で販売されている。この飲料用容器群には、吸飲用のストローが付着されておらず、販売店でそれぞれ１本づつが包装されたバラバラのストローを飲料用容器群の容器数に併せて購入者に手渡されている。
【０００３】
【発明が解決しようとする課題】
上述のように、従来の幼児用飲料等では、その複数個がまとめて飲料用容器群として包装され、販売されているが、その内飲料の吸飲用ストローが付着されていないから、販売者は飲料用容器群の容器数に合うストローを数えて、購入者に渡さなければならないという面倒があったし、場合によっては数の足りないストローを手渡して購入者に迷惑をかけるという問題点があった。一方購入者は、飲料用容器群とストローとがバラバラであるため、ややもするとストローだけを紛失し易いという問題点もあった。
【０００４】
一方、比較的内容量の大きい飲料用容器では、容器それぞれに各１本づつのストローが付着されており、ストローの数が足りなくなるような問題はなかった。そこで個々の飲料用容器が小容量であって複数個をまとめて包装してある飲料用容器群であっても、その容器の数に合う数のストローが各別に包装されており、しかも飲料用容器群の容器の数と同じ数のストローがまとめて包装されている複数ストロー包装体の出現が望まれているいう課題があり、この複数ストロー包装体が飲料用容器群に付属されていると好ましいという課題がある。即ち、販売者はいちいち飲料用容器群の容器数に合うストローを数えなければならないという手間がなくなり、購入者はストローを紛失することがないから好都合である。
【０００５】
【課題を解決するための手段】
そのために本発明複数ストロー包装体は、二枚の合成樹脂フイルム間に、ストローを密封包装してストロー包装体を構成し、該ストローの長手方向に繋がる同様のストロー包装体を連続して設け、２つのストロー包装体をこれらストロー包装体の連続部で折り返して重合し、各ストロー包装体の自由端縁同士を溶着してある。
各ストロー包装体の自由端縁同士の溶着を溶断シールにしてある。
上記２つのストロー包装体のストローがそれぞれ複数本である。
【０００６】
上記ストロー包装体の連続部にストローの長手方向と交叉するミシン目線を形成し、このミシン目線で折り返してあるとよい。
上記各ストロー包装体の自由端側シール部にストローの長手方向と交叉する向きのミシン目線を形成してあるとよい。
また、上記２つのストロー包装体をこれらストロー包装体の連続部で折り返して重合してあるストロー包装体の内側の合成樹脂フイルムを平坦状にしてあり、外側の合成樹脂フイルムを膨らませてストローを包装してあるとよい。
上記内側の合成樹脂フイルムは両面がヒートシール可能な熱可塑性合成樹脂フイルムであり、一方外側の合成樹脂フイルムは片面又は両面がヒートシール可能な熱可塑性合成樹脂フイルムである。
【０００７】
本発明飲料用容器群は、複数の飲料用容器を横に並べて配列し、並べられた複数の飲料用容器の上部に上記複数ストロー包装体を載置し、全体をシュリンク包装してある。
また、複数の飲料用容器の数と、複数ストロー包装体のストローの数とを合わせてあるとよい。
【０００８】
【発明の実施の形態】
以下図面に示した本発明複数ストロー包装体及び本発明飲料用容器群の実施例に基づいて本発明の詳細を説明する。図１乃至図３に本発明複数ストロー包装体を示してあり、図４にその展開図を示してある。図中１がストローで、二枚の合成樹脂フイルム２と３との間にこのストロー１を密封包装してストロー包装体Ａを構成してある。図示した実施例では、７本のストロー１を平行に配してそれぞれのストローが公知のラダーストロー包装体と同様に密封包装されている。そしてこのストロー包装体Ａにそのストローの長手方向に繋がる同様のストロー包装体Ｂを図４に示すように連続して設けてあり、この２つのストロー包装体ＡとＢとをこれらストロー包装体Ａ、Ｂの連続部４で折り返して重合してある。そして各ストロー包装体Ａ、Ｂの自由端縁５、６同士を溶着、望ましくは溶断シールしてある。
【０００９】
図示した実施例ではストロー包装体Ａに７本のストロー１が包装されたものを示したが、これは１本でもよいし２本でもよい。即ち、後述する飲料用容器群に付属させる複数ストロー包装体は、各ストロー包装体Ａ、Ｂのそれぞれのストロー１が１本〜３本のものが使用されるのが普通で、１本の場合には全体で２本になり、３本の場合には全体で６本になる。従って、現実に飲料用容器群に付属される複数ストロー包装体は、図１〜３に示すラダー状のストロー包装体のストロー間の合成樹脂フイルム２、３を切断して使用される。
【００１０】
上記ストロー包装体Ａ、Ｂの連続部４にストロー１の長手方向と交叉するミシン目線８を形成し、このミシン目線８でストロー包装体Ａ、Ｂを折り返して重合してある。一方各ストロー包装体Ａ、Ｂの自由端側シール部９、１０にストロー１の長手方向と交叉するミシン目線１１、１２を形成してある。
【００１１】
本発明複数ストロー包装体に使用される合成樹脂フイルムは、図２及び図３に示すように２つのストロー包装体Ａ、Ｂを重合した状態で、それぞれ内側となる合成樹脂フイルム２は平坦状にしてあり、一方それぞれ外側となる合成樹脂フイルム３はストロー１を包むように膨らませてある。そして上記平坦状の合成樹脂フイルム２は両面がヒートシール可能な熱可塑性合成樹脂フイルムであり、一方上記外側となる合成樹脂フイルム３は片面又は両面がヒートシール可能な熱可塑性合成樹脂フイルムである。そして上記平坦状の合成樹脂フイルムにはＣＰＰフイルム（無延伸ポリプロピレンフイルム）が使用されており、外側となる合成樹脂フイルムにはＯＰＰフイルム（延伸ポリプロピレンフイルム）が使用されている。これら両フイルム２、３はポリエチレンフイルムであってもよい。
【００１２】
次に図５〜図７に本発明飲料用容器群の実施例を示してある。この実施例では内容量が１００ｍｌ程の幼児用紙パックを４個並べてある。即ち図中１５が飲料用容器で、この飲料用容器４個を並べて飲料用容器群を構成し、この飲料用容器群の上部に４本１組となった本発明複数ストロー包装体１６を載置し、全体をシュリンクフイルム１７でシュリンク包装してある。
【００１３】
【発明の効果】
叙上の如く、本発明複数ストロー包装体は、二枚の合成樹脂フイルム間に、ストローを密封包装してストロー包装体を構成し、該ストローの長手方向に繋がる同様のストロー包装体を連続して設け、２つのストロー包装体をこれらストロー包装体の連続部で折り返して重合し、各ストロー包装体の自由端縁同士を溶着してあるから、複数のストローを１つの包装体とすることができ、これを複数の飲料用容器群のためのストロー包装体となし得たもので、この複数ストロー包装体をそのストローの数に合う飲料用容器群に付属させることにより、販売者はストローの数を数える作業をなくし、購入者に正しい数のストローを渡すことができる。また、購入者は複数のストローがまとめられているから、ストローを紛失することもない。
【００１４】
そして、各ストロー包装体の自由端縁同士の溶着を溶断シールにしてあるから、複数ストロー包装体の製造者は、各ストロー包装体の自由端同士の溶着作業を容易となし得る。
また、上記２つのストロー包装体のストローがそれぞれ複数本であるから、４つ以上の飲料用容器群にも簡単に付属させることができる。
【００１５】
さらに、ストロー包装体の連続部にストローの長手方向と交叉するミシン目線を形成し、このミシン目線で折り返してあり、各ストロー包装体の自由端側シール部にストローの長手方向と交叉する向きのミシン目線を形成してあるから、このミシン目線に沿ってフイルムを破断することにより、１本づつのストローの取り出しが容易である。
また、上記２つのストロー包装体をこれらストロー包装体の連続部で折り返して重合してあるストロー包装体の内側の合成樹脂フイルムを平坦状にしてあり、外側の合成樹脂フイルムを膨らませてストローを包装してあるから、複数ストロー包装体の包装状態の安定性がよい。
【００１６】
本発明飲料用容器群では、複数の飲料用容器を横に並べて配列し、並べられた複数の飲料用容器の上部に上記複数ストロー包装体を載置し、全体をシュリンク包装してあるから、複数の飲料用容器であっても、ストローを付属させてあり、容器とストローとを各別にすることなく、常に一緒に購入者に渡すことができ、しかも、複数の飲料用容器の数と、複数ストロー包装体のストローの数とを合わせてあるから、ストローが足りなくなったり、または紛失することもない。
【図面の簡単な説明】
【図１】本発明複数ストロー包装体の平面図。
【図２】同じく複数ストロー包装体の正面図。
【図３】同じく複数ストロー包装体の側面図。
【図４】本発明複数ストロー包装体の展開図。
【図５】本発明に係る複数ストロー包装体を付属する飲料用容器群の側面図。
【図６】同じく飲料用容器群の平面図。
【図７】同じく飲料用容器群の正面図。
【符号の説明】
Ａ，Ｂ  ストロー包装体
１    ストロー
２    合成樹脂フイルム
３    合成樹脂フイルム
４    連続部
５    自由端縁
６    自由端縁
７    溶断シール
８    ミシン目線
９    自由端側シール部
１０    自由端側シール部
１１    ミシン目線
１２    ミシン目線
１５    飲料用容器
１６    複数ストロー包装体
１７    シュリンク
【図１】
0004480233.tif 000002
【図２】
0004480233.tif 000003
【図３】
0004480233.tif 000004
【図４】
0004480233.tif 000005
【図５】
0004480233.tif 000006
【図６】
0004480233.tif 000007
【図７】
0004480233.tif 000008